(57)【特許請求の範囲】
【請求項１】
面ファスナとバックルを備え、
前記面ファスナは係合面どうしを対向させた一方の面ファスナ材および他方の面ファスナ材から構成され、
前記バックルは係脱自在な係止バックル部および被係止バックル部から構成され、
前記係止バックル部および被係止バックル部のうちの少なくとも一方が、枠部と、該枠部の一方側および他方側から離間し枠部の一方側および他方側の間に配置されて該枠部に一体的に形成された掛部とを備え、
前記一方の面ファスナ材は枠部の一方側の下面側から掛部の上面側を乗越えて枠部の他方側の下面側に導出されることで掛部に掛けられて、係止バックル部が一方の面ファスナ材の長手方向の範囲内で移動自在とされていることを特徴とするバックル装置。
【請求項２】
一方の面ファスナ材の基材は、他方の面ファスナ材の基材に比べて柔軟に形成されていることを特徴とする請求項１記載のバックル装置。
【請求項３】
請求項１または請求項２の何れかに記載のバックル装置を備えたことを特徴とする身体装着体。
【発明の詳細な説明】
【技術分野】
【０００１】
本発明は、バックル装置および、バックル装置を取付けた衣服やリュックサック等の身体装着体に関する。
【背景技術】
【０００２】
リュックサックや鞄、釣用衣服等の身体装着体に取付けられるバックル装置として、下記特許文献１に示す技術が提案されている。特許文献１に開示されたバックル装置は、鞄本体に取付けられたベルト体どうしを一体化するとともに、背負い用のベルト体どうしを幅方向で位置調節するために用いられている。
【０００３】
このようなバックル装置は、挿込部（プラグ部材）と挿込部が挿し込まれる被挿込部（ソケット部材）と、挿込部を一方のベルト体に取付けるための第一ベルト部と、被挿込部を他方のベルト体に取付けるための第二ベルト部とを備えている。
【０００４】
そして、ベルト体に腕を通すようにして鞄本体を使用者が背に装着し、例えば被挿込部から垂れる状態にある第二ベルト部を引いて締めたり、第二ベルト部を緩めたりして、使用者は自身の体格等に応じてベルト体をアジャストさせるようにして用いる。
【先行技術文献】
【特許文献】
【０００５】
【特許文献１】特開２００６−１４１８８３号公報
【発明の概要】
【発明が解決しようとする課題】
【０００６】
しかしながら、上記従来のバックル装置において、ベルト部（例えば第二ベルト部）には、ベルト体の間の距離を調節するために使用者が操作する把持部を設けておいて、導出させておく必要がある。そうすると、場合によっては、把持部は大きく垂れ下がった状態になり、邪魔になる。このような問題を解決するために、把持部を収納することが考えられるが、そうなると収納部を別に設けなければならないといった煩わしさが生じる。
【０００７】
そこで本発明は上記課題に鑑み、ベルト等の邪魔になる余剰部分を生じさせず、したがって特別な収納部を設ける必要のないバックル装置の提供を目的とする。
【課題を解決するための手段】
【０００８】
本発明のバックル装置は、面ファスナとバックルを備え、前記面ファスナは係合面どうしを対向させた一方の面ファスナ材および他方の面ファスナ材から構成され、前記バックルは係脱自在な係止バックル部および被係止バックル部から構成され、前記係止バックル部および被係止バックル部のうちの少なくとも一方が、枠部と、該枠部の一方側および他方側から離間し枠部の一方側および他方側の間に配置されて該枠部に一体的に形成された掛部とを備え、前記一方の面ファスナ材は枠部の一方側の下面側から掛部の上面側を乗越えて枠部の他方側の下面側に導出されることで掛部に掛けられて、係止バックル部が一方の面ファスナ材の長手方向の範囲内で移動自在とされていることを特徴としている。
【０００９】
上記構成において、一方の面ファスナ材と他方の面ファスナ材の係合面を離脱させた状態で係止バックル部を一方の面ファスナ材の長手方向に必要な量だけ移動させ、一方の面ファスナ材と他方の面ファスナ材の係合面を係合させるように合わせると、一方の面ファスナ材の一部は係止バックル部の掛部の上面側にあるから他方の面ファスナ材の係止面に係止されないが、一方の面ファスナ材の一部は係止バックル部の枠部の一方側および他方側の下面側にあるから他方の面ファスナ材の係止面に係止されて、係止バックル部が位置決め保持され、係止バックル部は一方の面ファスナ材の長手方向に対して任意の位置にあることで、係止バックル部の位置に応じて係止バックル部と被係止バックル部を係止させられる。
【００１０】
本発明のバックル装置では、一方の面ファスナ材の基材は、他方の面ファスナ材の基材に比べて柔軟に形成されている構成を採用することができる。この構成によれば、係止バックル部あるいは被係止バックル部の、一方の面ファスナ材の長手方向での移動が容易になる。
【００１１】
本発明の身体装着体は、上記何れかのバックル装置を備えたことを特徴としている。例えば身体装着体として、リュックサックを挙げれば、該リュックサックにおける一対の背負いベルト体からなる背負いベルトにバックル装置を用いることで、各背負いベルト体の幅方向での位置調節が可能になる。
【発明の効果】
【００１２】
本発明のバックル装置では、面ファスナは係合面どうしを対向させた一方の面ファスナ材および他方の面ファスナ材から構成されるとともに、一方の面ファスナ材および他方の面ファスナ材の長手方向各端部位置が略一致しており、バックルは係脱自在な係止バックル部および被係止バックル部から構成され、係止バックル部および被係止バックル部のうちの少なくとも一方が、枠部と、枠部の一方側と他方側との間にあって枠部に一体的に形成された掛部とを備え、一方の面ファスナ材は枠部の一方側の下面側から掛部の上面側を乗越えて枠部の他方側の下面側に導出されることで掛部に掛けられて、係止バックル部が一方の面ファスナ材の長手方向の範囲内で移動自在とされているから、係止バックル部の位置に応じて係止バックル部と被係止バックル部を係止した際に、邪魔になる部分が生じることがなく、このため特別な収納部を設ける必要がない。
【図面の簡単な説明】
【００１３】
【図１】本発明の一実施形態を表すリュックサックの背面側からの斜視図である。
【図２】同リュックサックの正面図である。
【図３】同リュックサックの第一上ベルト部および第二上ベルト部の導出量を調節する調節手段を表す図であり（ａ）は後方からの斜視図、（ｂ）は断面図である。
【図４】同バックル装置を表す図であり、（ａ）は上方からの斜視図、（ｂ）は断面図である。
【発明を実施するための形態】
【００１４】
以下、図１ないし図４に基づいて、本発明の一実施形態に係るバックル装置を、リュックサックに適用させた場合を例に説明する。図１および図２に示すように、リュックサック１は、収容物を収容するための本体２と、本体２に取付けられた第一背負いベルト体３および第二背負いベルト体４からなって、軟質の生地で形成された背負いベルト５とを備えている。
【００１５】
本体２は、前面部２Ａと後面部２Ｂと両側の側面部２Ｃ，２Ｄとから袋状に形成されている。そして、左右両側に縫着したスライドファスナＳ１，Ｓ２によって、両側の側面部２Ｃ，２Ｄから本体２の内部に収容物を収容することができるよう構成されている。これらのスライドファスナＳ１，Ｓ２は、本体２を側面視した場合、上下方向途中部が後方へ向けて凸となるよう湾曲して、本体２の上下方向を長手方向として取付けられている。なお、図示しないが、本体２の前面部２Ａには、装着感を良好にするための緩衝材が適所に配置されている。
【００１６】
本体２の後面部２Ｂの下部に、別のスライドファスナＳ３が縫着されている。このスライドファスナＳ３は、本体２をその下部で開閉できるよう本体２の左右方向に亘って、本体２に縫着されている。本体２の後面部２Ｂの上部には、さらに別のスライドファスナＳ４が縫着されている。このスライドファスナＳ４は、本体２内部の上部に配置したポケット６の開閉口となるよう、左右方向を長手方向として本体２に縫着されている。
【００１７】
第一背負いベルト体３は第一上ベルト部７と第一下ベルト部８とを備えている。第一上ベルト部７は使用者（着用者）による本体２の装着状態において使用者の一方の肩部側から胸骨側（使用者の胴体の幅方向中心側）へ向けて斜め下方に延長されよう本体２に取付けられている。第一下ベルト部８は使用者の一方の腹部側（使用者の胴体の一方の横腹側）から胸骨側へ向けて斜め上方に延長されるよう本体２に取付けられている。第一下ベルト部８はその基部の幅が上部の幅に比べて広幅に形成されている。
【００１８】
第一上ベルト部７は、本体２の上部の一方隅部に形成された第一挿通路９を挿通して、本体２内部から本体２の前面部２Ａ側に導出されている。第一下ベルト部８の端部は本体の下部の一方隅部に縫着されている。
【００１９】
第二背負いベルト体４は第二上ベルト部１０と第二下ベルト部１１とを備えている。第二上ベルト部１０は使用者（着用者）による本体２の装着状態において使用者の他方の肩部側から胸骨側へ向けて斜め下方に延長されよう本体２に取付けられている。第二下ベルト部１１は使用者の他方の腹部側から胸骨側へ向けて斜め上方に延長されるよう本体２に取付けられている。第二下ベルト部１１はその基部の幅が上部の幅に比べて広幅に形成されている。
【００２０】
第二上ベルト部１０は、本体２の上部の他方隅部に形成された第二挿通路１２を挿通して、本体２内部から本体２の前面部２Ａ側に導出されている。第二下ベルト部１１の端部は本体の下部の他方隅部に縫着されている。
【００２１】
図３（ａ），（ｂ）に示すように、第一上ベルト部７および第二上ベルト部１０は本体２の内部で一体化されている。すなわち第一上ベルト部７と第二上ベルト部１０を一体化している部分は、本体２の前面部２Ａの裏面側で、下方に向けて湾曲した湾曲部１３によって形成されている。
【００２２】
この湾曲部１３は所定の剛性を有するよう湾曲した薄板状の保形部材１４（例えば合成樹脂板）と、保形部材１４を覆う薄手の連設生地１５とから構成され、第一上ベルト部７および第二上ベルト部１０の各端部は、連設生地１５と一体化するよう縫着されている。
【００２３】
湾曲部１３の上下方向高さを調節することで、第一上ベルト部７および第二上ベルト部１０の導出量を調節する調節手段が設けられている。該調節手段は、面ファスナの組合せによって構成されている。すなわち、連設生地１５（湾曲部１３）は、本体２の前面部２Ａの裏面生地に対して、面ファスナ１６によって着脱自在に構成されている。この面ファスナ１６は挟持用面ファスナ１７と被挟持用面ファスナ１８とから構成されている。
【００２４】
挟持用面ファスナ１７は、係合面どうしを着脱自在に対向させており、ともに上下方向（丈方向）を長手方向とする一方の前側面ファスナ材１９および他方の後側面ファスナ材２０から構成される。被挟持用面ファスナ１８は、連設生地１５の前面および後面の双方の長手方向中心部に取付けられ（貼着され）ている。そして、被挟持用面ファスナ１８が挟持用面ファスナ１７に挟持されることで、湾曲部１３が挟持用面ファスナ１７（本体２）に固定される。
【００２５】
なお、湾曲部１３、挟持用面ファスナ１７は図示しない被覆生地で覆われており、しかも該被覆生地と前面部２Ａとを側部に縫着したスライドファスナで開閉して使用者が手指を挿入して湾曲部１３の高さ調節が操作できるよう構成されている。
【００２６】
第一上ベルト部７の前面部２Ａへの導出部分における下端部と、第一下ベルト部８の上端部とは、第一連結ベルト２１によって連結されている。第一連結ベルト２１は、第一下ベルト部８に取付けられた第一調節具２２によって、上下方向の長さを調節可能に構成されている。
【００２７】
第二上ベルト部１０の前面部２Ａへの導出部分における下端部と、第二下ベルト部１１の上端部とは、第二連結ベルト２３によって連結されている。第二連結ベルト２３は、第二下ベルト部１１に取付けられた第二調節具２４によって、上下方向の長さを調節可能に構成されている。
【００２８】
第一下ベルト部８、第二下ベルト部１１の前面側には、それぞれ第一連結ベルト２１、第二連結ベルト２３の余剰分２１ａ，２３ａを収納するためのポケット２５，２６が形成されている。
【００２９】
第一上ベルト部７の長手方向途中部分は側縁が略平行な帯状に形成され、第一上ベルト部７の下部７Ａは、帯幅に比べて大径に形成され、その縁は円弧状に形成されている。第二上ベルト部１０の長手方向途中部分は側縁が略平行な帯状に形成され、第二上ベルト部１０の下部１０Ａは、帯幅に比べて大径に形成され、その縁は円弧状に形成されている。
【００３０】
図２および図４（ａ），（ｂ）に示すように、第一上ベルト部７の下部７Ａと第二上ベルト部１０の下部１０Ａに、下部７Ａ，１０Ａどうしの少なくとも一部どうしを前後に重ねたうえで、下部７Ａ，１０Ａの幅方向での位置決めを行うためのバックル装置２７が、振り分けて配置されている。バックル装置２７は着脱手段であり、面ファスナ２８とバックル２９を備えて構成されている。バックル装置２７は、第一上ベルト部７の下部７Ａおよび第二上ベルト部１０の下部１０Ａ（第一背負いベルト体３および第二背負いベルト体４）を着脱するための着脱手段としての機能を兼用している。
【００３１】
面ファスナ２８は、係合面どうしを前後に対向させた一方の固定面ファスナ材３０（オス材）および他方の案内面ファスナ材３１（メス材）から構成されている。バックル２９は係脱自在な係止バックル部３２および被係止バックル部３３から構成されている。
【００３２】
面ファスナ２８は、第一上ベルト部７の下部７Ａの側縁間に、幅方向に沿うよう配置されており、一方の固定面ファスナ材３０が第一上ベルト部７の下部７Ａに縫着されている。幅方向に沿うとは、第一上ベルト部７が胸骨側へ向けて斜め下方に延長された状態において、略幅方向に沿う状態を意味する。このように構成することで、固定面ファスナ材３０が所定の幅方向長さに設定されている。
【００３３】
案内面ファスナ材３１は、固定面ファスナ材３０の前側に対向するよう配置され、案内面ファスナ材３１は固定面ファスナ材３０に比べて長く形成されており、しかも案内面ファスナ材３１および固定面ファスナ材３０の左右両側端部（長手方向各端部）位置は略一致して、該左右両側端部は第一上ベルト部７の下部に一体的に縫着されている。
【００３４】
係止バックル部３２は、枠部３４と、枠部３４の一方側と他方側との間にあって枠部３４に一体的に形成された掛部３５とを一体的に備えている。この係止バックル部３２はソケット部材とも称され、枠部３４にソケット部３６が一体に形成されている。
【００３５】
係止バックル部３２の枠部３４は、案内面ファスナ材３１に、移動自在に挿通されている。具体的には、案内面ファスナ材３１は固定面ファスナ材３０に比べて柔軟な生地をベース材としており、枠部３４の一方側の下面側から掛部３５の上面側を乗越えて枠部３４の他方側の下面側に導出されて掛部３５に掛けられることで、係止バックル部３２は案内面ファスナ材３１の長手方向の範囲内で移動自在とされている。案内面ファスナ材３１が固定面ファスナ材３０に比べて長く形成されているのは、上記のようにして係止バックル部３２が挿通されるためである。
【００３６】
被係止バックル部３３はプラグ部材であり、固定用輪ベルト３７が掛けられた基部３８と、基部３８の先端部に形成されたプラグ部３９とから一体的に形成されている。固定用輪ベルト３７の端部は第二上ベルト部１０の下部１０Ａの外側縁に縫着されている。
【００３７】
係止バックル部３２を、案内面ファスナ材３１の最も幅方向中心側へ移動させた状態で係止バックル部３２と被係止バックル部３３を係止すると、第一上ベルト部７の下部７Ａの一部と、第二上ベルト部１０の下部１０Ａの一部とが前後方向で重なる状態となるよう、係止バックル部３２と被係止バックル部３３とが、それぞれ第一上ベルト部７と第二上ベルト部１０に位置付けられるように取付けられている。換言すれば、案内面ファスナ材３１の最も幅方向外側へ移動させた状態で係止バックル部３２と被係止バックル部３３を係止すると、第一上ベルト部７の下部７Ａと、第二上ベルト部１０の下部１０Ａとが前後方向で重なる面積が大きくなる。
【００３８】
上記構成のリュックサック１において、バックル装置２７の係止バックル部３２と被係止バックル部３３を外すと、第一背負いベルト体３と第二背負いベルト体４とはフリーになるので、使用者は第一背負いベルト体３と第二背負いベルト体４のそれぞれと本体２との間に腕を通して、第一背負いベルト体３と第二背負いベルト体４を肩に掛ける。そしてバックル装置２７の係止バックル部３２と被係止バックル部３３とを係止する。このようにすることで、第一背負いベルト体３と第二背負いベルト体４とが一体化する。そして、この実施形態におけるリュックサック１では、バックル装置２７により、使用者の体格に合わせて、あるいは好みに応じて第一背負いベルト体３と第二背負いベルト体４の幅方向での位置調節ができる。
【００３９】
すなわち、リュックサック１を使用者が背負った状態で、第一背負いベルト体３と第二背負いベルト体４とにより締付け感があれば、バックル装置２７の面ファスナ２８、すなわち固定面ファスナ材３０から案内面ファスナ材３１を離脱させ、係止バックル部３２を幅方向中心側へ移動させる。そうすると、第一背負いベルト体３の第一上ベルト部７と第二背負いベルト体４の第二上ベルト部１０の重なり量が小さくなる。すなわち、第一背負いベルト体３と第二背負いベルト体４とが幅方向で離れる方向に移動する。このようにすることで、締付け感を解消することができる。
【００４０】
逆に、リュックサック１を使用者が背負った状態で、第一背負いベルト体３と第二背負いベルト体４が弛緩状態にあれば、バックル装置２７の面ファスナ２８、すなわち固定面ファスナ材３０から案内面ファスナ材３１を離脱させ、係止バックル部３２を幅方向外側へ移動させる。そうすると、第一背負いベルト体３の第一上ベルト部７と第二背負いベルト体４の第二上ベルト部１０の重なり量が大きくなる。すなわち、第一背負いベルト体３と第二背負いベルト体４とが幅方向で近付く方向に移動する。このようにすることで、弛緩状態を解消することができる。なお、被係止バックル部３３は固定用輪ベルト３７で第二背負いベルト体４に固定されているから、被係止バックル部３３での調節をすることはない。
【００４１】
そして、バックル装置２７は、第一上ベルト部７の下部７Ａと第二上ベルト部１０の下部１０Ａとを前後で重ねた状態を維持しつつ、第一上ベルト部７と第二背負いベルト体４の幅方向位置を調節するものである。このため、第一背負いベルト体３と第二背負いベルト体４とが左右方向に離間してしまうことがなく、アジャスト感が得られる。また、バックル装置２７の係止バックル部３２は、第二上ベルト部１０の下部１０Ａの幅方向長さに設定されている固定面ファスナ材３０に係止する案内面ファスナ材３１の長さの範囲で移動させるから、第一上ベルト部７と第二背負いベルト体４の幅方向位置を調節しても、余剰なベルトの発生がなく、したがって、それが邪魔になることもない。
【００４２】
また、第一背負いベルト体３の第一上ベルト部７と第一下ベルト部８は別体であり、第二背負いベルト体４の第二上ベルト部１０と第二下ベルト部１１とは別体であり、それぞれ第一連結ベルト２１、第二連結ベルト２３で連結され、第一調節具２２、第二調節具２４で長さ調節ができる。このため、第一上ベルト部７と第一下ベルト部８の離間距離を変更（調節）し、第二上ベルト部１０と第二下ベルト部１１の離間距離を変更することで、使用者の体格に合わせて、あるいは好みに応じて第一背負いベルト体３、第二背負いベルト体４の長さ調節ができ、リュックサック１をアジャストさせた状態で背負うことができる。
【００４３】
さらに、湾曲部１３の上下方向高さを調節することで、第一上ベルト部７および第二上ベルト部１０の導出量を調節することができる。すなわち、前側面ファスナ材１９を後側面ファスナ材２０から外し、湾曲部１３の上下位置を調節することで、第一上ベルト部７および第二上ベルト部１０の導出量を調節する。これによって、使用者の体格に合わせて、あるいは好みに応じて第一上ベルト部７および第二上ベルト部１０の長さを調節して、第一上ベルト部７の下部７Ａ、第二上ベルト部１０の下部１０Ａの、使用者に対する位置を調節して本体２をアジャストさせることができる。湾曲部１３の上下方向高さは、挟持用面ファスナ１７の長さに応じた分だけ調節可能である。
【００４４】
そして、本発明の実施形態におけるリュックサック１では、第一背負いベルト体３の第一上ベルト部７は使用者による本体２の装着状態において使用者の一方の肩部側から胸骨側へ向けて斜め下方に延長されよう本体２に取付けられ、第一下ベルト部８は使用者の一方の腹部側から胸骨側へ向けて斜め上方に延長されるよう本体２に取付けられている。また、第二背負いベルト体４の第二上ベルト部１０は使用者による本体２の装着状態において使用者の他方の肩部側から胸骨側へ向けて斜め下方に延長されよう本体２に取付けられ、第二下ベルト部１１は使用者の他方の腹部側から胸骨側へ向けて斜め上方に延長されるよう本体２に取付けられている。
【００４５】
このため、バックル装置２７を用いて第一背負いベルト体３および第二背負いベルト体４を一体化させた際でも、第一背負いベルト体３および第二背負いベルト体４が捻られることがなく、第一背負いベルト体３および第二背負いベルト体４がそれぞれ使用者の体表面にフィットすることになり、第一背負いベルト体３および第二背負いベルト体４による違和感が生じたり、装着感の悪さが生じたりすることを効果的抑制することができる。
【００４６】
第一背負いベルト体３および第二背負いベルト体４は上記のように、本体２の左右端部側から幅方向中心に向かって斜めに延びた構成とすることで、特に、リュックサック１を背負って自転車に搭乗する場合では、第一背負いベルト体３および第二背負いベルト体４は、使用者（搭乗者）の胸筋や腹筋を回避した状態となるから、前傾姿勢で自転車に搭乗しても第一背負いベルト体３および第二背負いベルト体４による圧迫感がなく、快適な使用感（装着感）が得られる。
【００４７】
本発明は上記実施形態に限定されず、本発明の主旨を逸脱しない範囲で種々変形が可能である。その他、各部の具体的構成についても上記実施形態に限られるものではない。例えば、上記実施形態では第一上ベルト部７と第二上ベルト部１０の幅方向での位置調節を、被係止バックル部３３側で行うことはない構成とした。しかしながらこの構成に限定されず、被係止バックル部３３を、固定用輪ベルト３７で固定することなく、係止バックル部３２のように、固定面ファスナ材３０と案内面ファスナ材３１との組合せによって幅方向に移動自在に構成することも考えられる。
【００４８】
また、係止バックル部３２は掛部３５が一個のものを用いたがこれに限定されず、掛部３５を二個有するものを用いてもよい。何れにしても案内面ファスナ材３１が掛部３５の上側に巻き掛けられるようにするとともに、枠部３４の左右部分の下側に潜るように構成する。さらに、被係止バックル部３３を案内面ファスナ材３１に移動自在に取付け、係止バックル部３２を固定用輪ベルト３７に取付けてもよい。
【００４９】
上記実施形態では、バックル装置２７をリュックサック１に適用させた例で説明した。しかしながら、バックル装置２７は、他の身体装着体として、ライフベスト等の衣服の身ごろどうしの合わせ手段、クーラーボックスの本体に対する蓋の固定手段等、多様な部位に用いることができる。
【００５０】
上記実施形態では、第一背負いベルト体３は別体の第一上ベルト部７と第一下ベルト部８とから構成し、第二背負いベルト体４は別体の第二上ベルト部１０と第二下ベルト部１１とから構成して、それぞれ第一連結ベルト２１、第二連結ベルト２３で連結する構成とした。しかしながら、第一背負いベルト体３および第二背負いベルト体４は、それぞれ一体の構成であってもよい。この場合では、バックル装置２７の構成を第一背負いベルト体３側と第二背負いベルト体４側とに振り分けて取付け、リュックサック１の装着時には、第一背負いベルト体３と第二背負いベルト体４をバックル装置２７により一体化し、第一背負いベルト体３と第二背負いベルト体４の幅方向での位置を調節するようにする。
【００５１】
何れにしても第一背負いベルト体３の上部は、本体２の上端一側から中心へ向かって下傾斜するよう延長され、下部は本体２の下端一側から中心へ向かって上傾斜するよう延長される。また第二背負いベルト体４は、本体２の上端他側から中心へ向かって下傾斜するよう延長され、下部は本体２の下端他側から中心へ向かって上傾斜するよう延長される。
【００５２】
さらに、上記実施形態のリュックサック１では、複数箇所に面ファスナを設ける構成を説明したが、何れの面ファスナにおいてもオスとメスの組合せ、すなわち係止面と被係止面の組合せは、係止面と被係止面を備えていれば、配置は特定されるものではない。また、面ファスナとしては、一面および一面に係止する他面に、オスとメスの双方を備えた構成のものであってもよい。
【符号の説明】
【００５３】
１…リュックサック、２…本体、３…第一背負いベルト体、４…第二背負いベルト体、５…背負いベルト、７…第一上ベルト部、７Ａ…第一上ベルト部の下部、８…第一下ベルト部、９…第一挿通路、１０…第二上ベルト部、１０Ａ…第二上ベルト部の下部、１１…第二下ベルト部、１２…第二挿通路、１３…湾曲部、１７…挟持用面ファスナ、１８…被挟持用面ファスナ、１９…前側面ファスナ材、２０…後側面ファスナ材、２１…第一連結ベルト、２３…第二連結ベルト、２７…バックル装置、２８…面ファスナ、２９…バックル、３０…固定面ファスナ材、３１…案内面ファスナ材、３２…係止バックル部、３３…被係止バックル部、３４…枠部、３５…掛部、３６…ソケット部、３９…プラグ部
【図１】
0005863348.tif 000002
【図２】
0005863348.tif 000003
【図３】
0005863348.tif 000004
【図４】
0005863348.tif 000005